(57)【要約】【課題】本発明は窒化物半導体発光素子及びその製造方法に関するものである。【解決手段】ＡｌＮから成る多結晶または非晶質基板（２１）と、上記ＡｌＮ基板（２１）上に形成され、ストライプ形状または格子形状の複数個の誘電体パターン（２３）と、上記誘電体パターン（２３）の形成されたＡｌＮ基板（２１）上に側面成長法により形成された側面成長窒化物半導体層（２４）と、上記窒化物半導体層（２４）上に形成された第１導電型窒化物半導体層（２５）と、上記第１導電型窒化物半導体層（２５）上に形成された活性層（２６）と、上記活性層（２６）上に形成された第２導電型窒化物半導体層（２７）とを含む窒化物半導体発光素子（２０）を提供する。【選択図】図１
2005294793.tif 000002
【特許請求の範囲】
【請求項１】
ＡｌＮから成る多結晶または非晶質基板と、
上記ＡｌＮ基板上に形成され、ストライプ状または格子状の複数個の誘電体パターンと、
上記誘電体パターンの形成されたＡｌＮ基板上に側面成長法により形成された側面成長窒化物半導体層と、
上記窒化物半導体層上に形成された第１導電型窒化物半導体層と、
上記第１導電型窒化物半導体層上に形成された活性層と、
上記活性層上に形成された第２導電型窒化物半導体層と、
を有することを特徴とする窒化物半導体発光素子。
【請求項２】
上記ＡｌＮ基板は多結晶基板で、上記ＡｌＮ多結晶基板は所定の面方向を有する凹凸の形成された上面を有することを特徴とする請求項１に記載の窒化物半導体発光素子。
【請求項３】
上記ＡｌＮ基板上に形成されたバッファ層をさらに有することを特徴とする請求項１に記載の窒化物半導体発光素子。
【請求項４】
上記バッファ層はＡｌｘＧａ１−ｘＮ（０≦ｘ≦１）の物質から成る低温核成長層であることを特徴とする請求項３に記載の窒化物半導体発光素子。
【請求項５】
上記バッファ層は所定の面方向を有する凹凸の形成された上面を有することを特徴とする請求項３に記載の窒化物半導体発光素子。
【請求項６】
上記誘電体パターンはＳｉＯ２またはＳｉＮから成ることを特徴とする請求項１に記載の窒化物半導体発光素子。
【請求項７】
上記側面成長窒化物半導体層は第１導電型不純物を含む窒化物半導体層であることを特徴とする請求項１に記載の窒化物半導体発光素子。
【請求項８】
上記第１導電型窒化物半導体層はｎ型窒化物半導体層で、上記第２導電型窒化物半導体層はｐ型窒化物半導体層であることを特徴とする請求項１に記載の窒化物半導体発光素子。
【請求項９】
上記基板はＧａ及びＩｎ中少なくとも一つの元素をさらに含む（ＧａＩｎ）ＡｌＮ基板であることを特徴とする請求項１に記載の窒化物半導体発光素子。
【請求項１０】
ＡｌＮから成る多結晶または非晶質基板を用意する段階と、
上記ＡｌＮ基板上にストライプ状または格子状の複数個の誘電体パターンを形成する段階と、
上記誘電体パターンの形成されたＡｌＮ基板上に側面成長法を利用して側面成長窒化物半導体層を形成する段階と、
上記窒化物半導体層上に第１導電型窒化物半導体層を形成する段階と、
上記第１導電型窒化物半導体層上に活性層を形成する段階と、
上記活性層上に第２導電型窒化物半導体層を形成する段階と、
を有することを特徴とする窒化物半導体発光素子の製造方法。
【請求項１１】
上記ＡｌＮ基板は多結晶基板で、上記ＡｌＮ多結晶基板上に所定の面方向を有する凹凸が形成されるよう、上記ＡｌＮ基板上面をエッチングする段階をさらに有することを特徴とする請求項１０に記載の窒化物半導体発光素子の製造方法。
【請求項１２】
上記エッチングする段階はＡｌＮ基板上にＮａＯＨを含むエッチング液を利用して湿式エッチングを適用する段階であることを特徴とする請求項１１に記載の窒化物半導体発光素子の製造方法。
【請求項１３】
上記誘電体パターンを形成する段階前に、ＡｌＮ基板上にバッファ層を形成する段階をさらに有することを特徴とする請求項１０に記載の窒化物半導体発光素子の製造方法。
【請求項１４】
上記バッファ層はＡｌｘＧａ１−ｘＮ（０≦ｘ≦１）の物質から成る低温核成長層であることを特徴とする請求項１３に記載の窒化物半導体発光素子の製造方法。
【請求項１５】
上記バッファ層上に所定の面方向を有する凹凸が形成されるよう、上記バッファ層上面をエッチングする段階をさらに有することを特徴とする請求項１３に記載の窒化物半導体発光素子の製造方法。
【請求項１６】
上記エッチングする段階は、上記バッファ層上にＮａＯＨを含むエッチング液を利用して湿式エッチングを適用する段階であることを特徴とする請求項１５に記載の窒化物半導体発光素子の製造方法。
【請求項１７】
上記誘電体パターンはＳｉＯ２またはＳｉＮから成ることを特徴とする請求項１０に記載の窒化物半導体発光素子製造方法。
【請求項１８】
上記側面成長窒化物半導体層は第１導電型不純物を含んだ窒化物半導体層であることを特徴とする請求項１０に記載の窒化物半導体発光素子の製造方法。
【請求項１９】
上記第１導電型窒化物半導体層はｎ型窒化物半導体層で、上記第２導電型窒化物半導体層はｐ型窒化物半導体層であることを特徴とする請求項１０に記載の窒化物半導体発光素子の製造方法。
【請求項２０】
上記側面成長窒化物半導体層はＡｌを含んだ窒化物半導体層で、
上記側面成長窒化物半導体層を形成する段階は、
Ｃｌ系ガスまたはＢｒ系ガスを注入しながら、側面成長法を利用して上記側面成長窒化物半導体層を形成する段階であることを特徴とする請求項１０に記載の窒化物半導体発光素子の製造方法。
【請求項２１】
上記Ｂｒ系ガスまたは上記Ｃｌ系ガスは、
Ｂｒ２、Ｃｌ２、ＣＢｒ４、ＣＣｌ４、ＨＢｒ及びＨＣｌから構成された群から選択された少なくとも一種を含むガスであることを特徴とする請求項２０に記載の窒化物半導体発光素子の製造方法。
【請求項２２】
上記基板はＧａ及びＩｎ中少なくとも一つの元素をさらに含む（ＧａＩｎ）ＡｌＮ基板であることを特徴とする請求項１０に記載の窒化物半導体発光素子の製造方法。
【発明の詳細な説明】
【技術分野】
【０００１】
本発明は窒化物半導体発光素子に関するものとして、より詳しくはＡｌＮ多結晶または非晶質基板を有する窒化物半導体発光素子とその製造方法に関するものである。
【背景技術】
【０００２】
一般に、窒化物半導体結晶は可視光全領域ばかりでなく紫外線領域に至った広範囲の光を生成できる特性のため、発光ダイオード（ＬＥＤ）またはレーザーダイオード（ＬＤ）形態の可視光及び紫外線ＬＥＤと青緑色光素子を製造する物質として脚光を浴びている。
【０００３】
こうした窒化物半導体結晶は、より効率の良い光素子を製造するため、窒化物半導体を高品位の単結晶薄膜に成長させる技術が必需となる。しかし、III族窒化物半導体はその格子定数及び熱膨張係数に適した基板が普遍的でないので単結晶薄膜の成長に困難がある。
【０００４】
上記窒化物半導体結晶を成長させるために、サファイア（Ａｌ２Ｏ３）基板またはＳｉＣ基板等の限られた基板が利用される。例えば、サファイア基板上に有機金属気相蒸着法（ＭＯＣＶＤ）及び分子ビームエピタクシ法（ＭＢＥ）などを利用したヘテロエピタキシ（ｈｅｔｅｒｏｅｐｉｔａｘｙ）法により窒化物半導体結晶を成長させることができる。
【０００５】
しかし、こうした窒化物半導体単結晶基板を使用しても、格子定数及び熱膨張係数の不一致により高品質の窒化物半導体単結晶を直接成長させ難いので、低温核生成層とバッファ層とをさらに使用する。図３は従来の窒化物半導体発光素子を示す側断面図である。
【０００６】
図３に示すように、従来の窒化物半導体発光素子（１１０）はサファイア基板（１１１）上に形成されたｎ型窒化物半導体層（１１５）、多重井戸構造の活性層（１１６）及びｐ型窒化物半導体層（１１７）を含む。上記ｐ型窒化物半導体層（１１７）と上記活性層（１１６）の一部領域が除去され露出したｎ型窒化物半導体層（１１５）領域にはｎ側電極（１１９ａ）が形成され、ｐ型ＧａＮ半導体層（１１７）上にはＮｉとＡｕを含む透明電極（１１８）とｐ側電極（１１９ｂ）が形成される。
【０００７】
また、上記サファイア基板上には高品質の窒化物半導体結晶を成長させるために所定のバッファ層が形成される。こうしたバッファ層としてはＡｌｘＧａ１−ｘＮ（０≦ｘ≦１）のような低温核成長層が主に使用される。
【発明の開示】
【発明が解決しようとする課題】
【０００８】
しかしながら、サファイア基板上に低温核生成層を形成した後に窒化物半導体単結晶を成長させても、窒化物半導体単結晶は約１０９〜約１０１０ｃｍ−２の結晶欠陥を有し、とりわけこうした欠陥は垂直方向に伝播し、漏れ電流の原因となる悪影響を与えかねない。
【０００９】
一方、従来のサファイア基板またはＳｉＣ基板はＡｌＮ多結晶または非晶質基板より高価で、熱伝導度及び機械的特性が低いので、製造費用が増加し、素子特性を低下させる問題が生じかねない。しかし、ＡｌＮ多結晶または非晶質基板は窒化物単結晶層の成長に適していないので、窒化物半導体発光素子の基板として用いられない。
【００１０】
本発明は、上述した従来技術の問題を解決するためのもので、その目的は、ＡｌＮ多結晶または非晶質基板上に側面成長法（ｌａｔｅｒａｌ  ｅｐｉｔａｘｉａｌ  ｏｖｅｒｇｒｏｗｔｈ：ＬＥＯ）により成長させた高品質の窒化物半導体層を含む窒化物半導体発光素子を提供することにある。
【００１１】
本発明の他の目的は、ＡｌＮ多結晶または非晶質基板上に側面成長法を利用して高品質の窒化物半導体層を形成する半導体発光素子の製造方法を提供することにある。
【課題を解決するための手段】
【００１２】
上記技術的課題を成し遂げるために、本発明は、ＡｌＮから成る多結晶または非晶質基板と、上記ＡｌＮ基板上に形成され、ストライプ形状または格子形状の複数個の誘電体パターンと、上記誘電体パターンの形成されたＡｌＮ基板上に側面成長法により形成された側面成長窒化物半導体層と、上記窒化物半導体層上に形成された第１導電型窒化物半導体層と、上記第１導電型窒化物半導体層上に形成された活性層と、上記活性層上に形成された第２導電型窒化物半導体層とを含む窒化物半導体発光素子を提供する。
【００１３】
好ましくは、上記ＡｌＮ基板は所定の面方向に凹凸が形成された上面を有する。本発明の一実施形態において、上記窒化物半導体発光素子は上記ＡｌＮ基板上に形成されたバッファ層をさらに含むことができる。好ましくは、上記バッファ層はＡｌｘＧａ１−ｘＮ（０≦ｘ≦１）である物質から成る低温核成長層であることができる。また、上記バッファ層は所定の面方向に凹凸が形成された上面を有することが好ましい。本発明に用いる誘電体パターンはＳｉＯ２またはＳｉＮから成ることができ、上記側面成長させられる窒化物半導体層は第１導電型不純物を含む窒化物半導体層から成り、上記第１導電型窒化物半導体層と同一な導電型のクラッド層として提供されることができる。上記第１導電型窒化物半導体層はｐ型窒化物半導体層で、上記第２導電型窒化物半導体層はｎ型窒化物半導体層であることができる。この場合には、相対的に電気的抵抗の低いｎ型窒化物半導体層をキャッピング層（ｃａｐｐｉｎｇ  ｌａｙｅｒ）に用いるので、オーミックコンタクトのための透明電極層を省くことができる。
【００１４】
さらに、本発明は新たな窒化物半導体発光素子の製造方法を提供する。上記方法は、ＡｌＮから成る多結晶または非晶質基板を提供する段階と、上記ＡｌＮ基板上にストライプ形状または格子形状の複数個の誘電体パターンを形成する段階と、上記誘電体パターンの形成されたＡｌＮ基板上に側面成長法を利用して側面成長窒化物半導体層を形成する段階と、上記窒化物半導体層上に第１導電型窒化物半導体層を形成する段階と、上記第１導電型窒化物半導体層上に活性層を形成する段階と、上記活性層上に第２導電型窒化物半導体層を形成する段階とを含んで成る。
【００１５】
好ましくは、上記ＡｌＮ基板上に所定の面方向へ凹凸が形成されるよう、上記ＡｌＮ基板上面をエッチングする段階をさらに含むことができる。上記エッチングする段階は、上記ＡｌＮ基板上にＮａＯＨを含むエッチング液を利用して湿式エッチングを施す段階であることができる。本発明の一実施形態においては、上記誘電体パターンを形成する段階前に、ＡｌＮ基板上にバッファ層を形成する段階をさらに含むことができる。好ましくは、上記バッファ層はＡｌｘＧａ１−ｘＮ（０≦ｘ≦１）の物質から成る低温核成長層であることができる。本実施形態においては、上記バッファ層上に所定の面方向へ凹凸が形成されるよう上記バッファ層上面をエッチングする段階をさらに含むことができる。また、上記誘電体パターンはＳｉＯ２またはＳｉＮから成ることができる。上記側面成長窒化物半導体層は第１導電型不純物を含む窒化物半導体層であることができ、上記第１導電型窒化物半導体層はｐ型窒化物半導体層で、上記第２導電型窒化物半導体層はｎ型窒化物半導体層であることができる。上記側面成長窒化物半導体層がＡｌを含む窒化物半導体層である場合、上記側面成長窒化物半導体層を形成する段階は、Ｃｌ系ガスまたはＢｒ系ガスを注入しながら側面成長法を利用して上記側面成長窒化物半導体層を形成する段階であることができる。こうしたＢｒ系ガスまたはＣｌ系ガスとしてはＢｒ２、Ｃｌ２、ＣＢｒ４、ＣＣｌ４、ＨＢｒ及びＨＣｌから成る群から選択された少なくとも一種を含むガスを使用できる。本発明は従来のサファイア基板またはＳｉＣ基板に代わってＡｌＮ多結晶または非晶質基板上に窒化物半導体層を形成することにより新たな形態の窒化物半導体素子を提供する。即ち、ストライプ状または格子状の誘電体パターンを利用した側面成長法により高品質の窒化物半導体層を成長させ、より好ましくはＡｌＮ多結晶または非晶質基板上にＮａＯＨのような所定のエッチング液を適用して所望の面方向を有する凹凸部を形成することにより一層良質の窒化物半導体層を成長させることができる。
【発明の効果】
【００１６】
上述したように本発明によると、サファイア基板またはＳｉＣ基板に比して優れた熱伝導性と機械的特性を有するＡｌＮ多結晶または非晶質基板を用い、さらに側面成長法を利用して高品質窒化物半導体層を形成することにより、優れた特性を有する窒化物半導体発光素子をより低いコストで提供することができる。
【発明を実施するための最良の形態】
【００１７】
以下、添付の図面に基づいて、本発明をより詳しく説明する。
【００１８】
図１は本発明の一実施形態による窒化物半導体発光素子を示す側断面図である。
【００１９】
上記窒化物半導体発光素子（２０）はＡｌＮ多結晶基板（２１）を含む。本発明に用いることのできるＡｌＮ基板はＧａ及びＩｎ中少なくとも一つの元素をさらに含む（ＧａＩｎ）ＡＩＮ基板であることができる。上記ＡｌＮ多結晶基板（２１）上にはストライプ状または格子状の複数個の誘電体パターン（２３）が並んで配列されるよう設けられる。上記誘電体パターンの形成されたＡｌＮ多結晶基板（２１）上には側面成長法により成長させられた側面成長窒化物半導体層（２４）が設けられ、上記窒化物半導体（２４）上にはｎ型窒化物半導体層（２５）、多重井戸構造の活性層（２６）及びｐ型窒化物半導体層（２７）が順次形成される。
【００２０】
また、上記ｐ型窒化物半導体層（２７）上には接触抵抗を減少させるために、Ｎｉ／Ａｕのような透明電極層（２８）が形成され、上記透明電極層（２８）とｎ型窒化物半導体層（２５）領域には各々ｐ側電極（２９ｂ）とｎ側電極（２９ａ）が設けられる。
【００２１】
上記ＡｌＮ多結晶基板（２１）上に形成された側面成長窒化物半導体層（２４）はストライプ状または格子状の誘電体パターン（２３）を利用した側面成長法（ｌａｔｅｒａｌ  ｅｐｉｔａｘｉａｌ  ｏｖｅｒｇｒｏｗｔｈ：ＬＥＯ）により形成される。したがって、異種物質の界面に発生した電位は側方向に沿って誘電体パターン（２３）上に結晶成長するので、通常の成長方式と異なり垂直方向に進行する欠陥を大きく減少させられる。したがって、活性層などまで伝播する電位を減少させることにより結晶欠陥による漏れ電流も大きく減少させることができる。こうした誘電体パターン（２３）はＳｉＯ２またはＳｉＮから成ることができる。
【００２２】
本発明に用いる側面成長窒化物半導体層（２４）はアンドープ窒化物半導体層から成ることができるが、これと異なり上部に形成された窒化物半導体層（２５）と同一な導電型の窒化物半導体層から成ることもできる。
【００２３】
例えば、本実施形態においては、ｎ型不純物を注入して側面成長させることによりｎ型側面成長窒化物半導体層（２４）を形成でき、その上部に形成されたｎ型窒化物半導体層（２５）と一体でｎ側クラッド層を構成することができる。
【００２４】
また、本実施形態と異なり、ｐ型窒化物半導体層をＡｌＮ多結晶基板と活性層との間に配置し、ｎ型窒化物半導体層を活性層上部に配置する構造が提供されることができる。この場合、ｎ型窒化物半導体層はｐ型窒化物半導体層より相対的に低い電気抵抗を有するので、図１においてｐ型窒化物半導体層（２７）上部に形成された透明電極構造（２８）を省くことができる。
【００２５】
図２（Ａ）ないし図２（Ｆ）は本発明の他の実施形態による窒化物半導体発光素子の製造方法を説明するための工程断面図である。
【００２６】
先ず、図２（Ａ）のように、ＡｌＮ多結晶基板（３１）を用意する。このように、本発明においてはサファイア基板を使用せず、比較的高い熱伝導度と優れた機械的特性を有するＡｌＮ多結晶基板（３１）を使用する。
【００２７】
また、図示のように、追加的にＡｌＮ多結晶基板（３１）の上面に対して所望の結晶面を有する凹凸部（３１ａ）が形成されるようエッチングを施すことが好ましい。一般に、結晶面方向に応じてエッチング率が異なるので、ＮａＯＨのようなエッチング液を利用して湿式エッチングを施すことにより、不規則な各凹凸部（３１ａ）は特定面方向に主な面方向を有するようになる。こうした凹凸部（３１ａ）の主な面方向は後続工程において窒化物単結晶層の形成により有利な成長面条件を提供することができる。例えば、好ましい凹凸形状はＡｌＮ多結晶基板（３１）上にＮａＯＨエッチング液を約６０℃において１０分間適用して得られる。
【００２８】
次いで、図２（Ｂ）のように、ＡｌＮ多結晶基板（３１）上にバッファ層（３２）を設けることができる。本発明においてバッファ層（３２）はより優れた窒化物結晶を得るために選択的に設けることができる。上記バッファ層（３２）としては組成式ＡｌｘＧａ１−ｘＮ（０≦ｘ≦１）を満足する物質を用いることができる。例えば、ＡｌＮ、ＧａＮまたはＡｌＧａＮなどから成る低温核生成層が使用されることができる。本段階においては追加的にバッファ層（３２）上に所望の結晶面を有する凹凸部が形成されるようエッチングを施すこともできる。これは上記説明したＡｌＮ多結晶基板に対するエッチング工程のように、特定結晶面方向が主な面方向へ有する凹凸部を形成することにより、後続工程における窒化物単結晶層の成長条件を有利にするためである。また、こうした凹凸部形成のためのエッチング工程はＡｌＮ多結晶基板（３１）形成段階において施されず、本段階においてのみ実施してもよいが、両段階において全て実施することもできる。
【００２９】
次に、図２（Ｃ）のように、上記バッファ層（３２）上にストライプ形状または格子形状の複数個の誘電体パターン（３３）を形成する。上記誘電体パターン（３３）は上記バッファ層（３２）の全上面にＳｉＯ２及びＳｉ３Ｎ４などの誘電体物質を蒸着した後、続いてフォトリソグラフィー工程を利用してストライプパターン（または格子パターン）が形成されるよう選択的に除去して得る。本実施形態と異なり、上記バッファ層（３２）が無い場合には、ＡｌＮ多結晶基板（３１）上面に直接誘電体パターン（３３）を設けることもできる。
【００３０】
次いで、図２（Ｄ）のように、上記ストライプ状または格子状の誘電体パターン（３３）を利用した側面成長法を利用して窒化物半導体結晶（３４）を成長させる。こうした成長工程は通常のＭＯＣＶＤ、ＭＢＥなどの工程を利用することができる。本段階の側面成長工程においては、上記誘電体パターン（３３）の間に露出した上記バッファ層（３２）領域に窒化物単結晶が１次的に成長し、次いでその成長厚さが誘電体パターン（３３）の高さに至り、誘電体パターン（３３）上に側方向成長が進み、最終的に誘電体パターン（３３）を覆う側面成長窒化物層（３４）が得られる。側面成長窒化物半導体層（３４）がＡｌＧａＮのようなＡｌを含んだ窒化物単結晶である場合には、Ａｌ元素がＳｉＯ２またはＳｉ３Ｎ４のような誘電体パターン（３３）と反応性が高く、吸着原子（ａｄａｔｏｍ）の表面移動度（ｓｕｒｆａｃｅ  ｍｏｂｉｌｉｔｙ）が低く誘電体上にも結晶が成長するので、高品質の窒化物結晶を成長させ難い。したがって、この場合には、Ｃｌ系ガスまたはＢｒ系ガスを注入しながら、上記側面成長窒化物半導体層（３４）を形成することが好ましい。こうしたＢｒ系ガスまたはＣｌ系ガスとしてはＢｒ２、Ｃｌ２、ＣＢｒ４、ＣＣｌ４、ＨＢｒ及びＨＣｌから成る群から選択された少なくとも一種を含むガスを使用することが好ましい。
【００３１】
次に、図２（Ｅ）のように、上記側面成長窒化物半導体層（３４）上にｐ型窒化物半導体層（３５）、活性層（３６）及びｎ型窒化物半導体層（３７）を成長させる。本成長工程は上記側面成長窒化物半導体層（３４）と連続的に実施することができる。例えば、ＭＯＣＶＤチャンバーに配置された状態において上記窒化物半導体層（３５、３６、３７）を図２（Ｄ）に説明した側面成長窒化物半導体層（３４）と共に連続的に成長させることができる。この場合に、図２（Ｄ）に説明した側面成長窒化物半導体層（３４）はアンドープ領域に形成されることもできるが、これと異なりｐ型窒化物半導体層（３５）のようなｐ型不純物を含む層に形成され、ｐ型窒化物半導体層（３５）と一体に一側のクラッド層とされることができる。
【００３２】
そして最終的に、ｎ型窒化物半導体層（３７）と活性層（３６）の一部領域をメサエッチングして露出させたｐ型窒化物半導体層（３５）領域に第１電極（３９ａ）を形成し、ｎ型窒化物半導体層（３７）上面にはＮｉ／Ａｕなどのｎ側電極（３９ｂ）を形成する。
【００３３】
本実施形態と異なり、ＡｌＮ多結晶基板上にｐ型窒化物半導体層を先ず形成し、活性層を形成した後、上記活性層上にｎ型窒化物半導体層を形成する製造方法とすることもできる。この場合、ｎ型窒化物半導体層はｐ型窒化物半導体層より相対的に低い電気抵抗を有するので、ｐ型窒化物半導体層（３７）上部に形成された透明電極構造（３８）を省ける利点がある。
【００３４】
このように、本発明は上述した実施形態及び添付の図面により限定されるわけではなく、添付の請求の範囲により限定される。したがって、請求の範囲に記載の本発明の技術的思想を外れない範囲内において様々な形態の置換、変形及び変更が可能なことは当技術分野において通常の知識を有する者にとっては明らかであろう。
【図面の簡単な説明】
【００３５】
【図１】本発明の一実施形態による窒化物半導体発光素子を示す側断面図である。
【図２】（Ａ）ないし（Ｆ）は本発明の他の実施形態による窒化物半導体発光素子の製造方法を説明するための工程断面図である。
【図３】従来の窒化物半導体発光素子を示す側断面図である。
【符号の説明】
【００３６】
３１  サファイア基板
３２  バッファ層
３３  誘電体パターン
３４  側面成長窒化物半導体層
３５  第１導電型窒化物半導体層
３６  活性層
３７  第２導電型窒化物半導体層
３８  透明電極層
３９ａ、３９ｂ  第１及び第２電極
【図１】
2005294793.tif 000003
【図２】
2005294793.tif 000004
【図３】
2005294793.tif 000005